【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
ａ）熱可塑性または弾性ポリマー、
ｂ）少なくとも１つの立体障害Ｎ−アルコキシアミン、
ｃ）少なくとも１つの次亜リン酸の金属塩、および
ｄ）少なくとも１つの臭素化難燃剤
を含む組成物。
【請求項２】
前記熱可塑性または弾性ポリマーが、ポリオレフィンまたはポリオレフィンのコポリマーである、請求項１に記載の組成物。
【請求項３】
前記障害アルコキシアミンが、式（Ｉ）
【化１】
2011506723.tif 000001
［式中、
Ｇ1およびＧ2は、独立して、１〜８個の炭素原子のアルキルであり、またはともにペンタメチレンであり、
Ｚ1およびＺ2は、それぞれメチルであり、またはＺ1およびＺ2は、ともに、エステル、エーテル、アミド、アミノ、カルボキシまたはウレタン基によってさらに置換されてよい結合部を形成し、
Ｅは、１〜１８個の炭素原子のアルコキシ、５〜１２個の炭素原子のシクロアルコキシ、または７〜１５個の炭素原子のアラルコキシであり、またはＥは、−Ｏ−Ｃ（Ｏ）−Ｃ1−Ｃ18アルキルまたは−Ｏ−Ｔ−（ＯＨ）b基であり、
Ｔは、１〜１８個の炭素原子の直鎖または分枝鎖アルキレン、５〜１８個の炭素原子のシクロアルキレン、５〜１８個の炭素原子のシクロアルケニレン、フェニルによってまたは１〜４個の炭素原子の１つもしくは２つのアルキル基によって置換されたフェニルによって置換された１〜４個の炭素原子の直鎖または分枝鎖アルキレンであり、
ｂは、１、２または３であり、ｂは、Ｔにおける炭素原子の数を超えてはならず、ｂが２または３である場合に、それぞれのヒドロキシル基は、Ｔの異なる炭素原子に結合している］の構造要素を含む、請求項１または２に記載の組成物。
【請求項４】
前記障害アルコキシアミンが、式（Ｉａ）
【化２】
2011506723.tif 000002
［式中、
Ｇ1、Ｇ2およびＥは、請求項３に定義されている意味を有し、Ｇ3は、水素またはメチルであり、かつ
*は、原子価である］の構造要素を含む、請求項１から３までのいずれか１項に記載の組成物。
【請求項５】
Ｅは、１〜１８個の炭素原子のアルコキシ、シクロヘキシルオキシまたは−Ｏ−Ｔ−（ＯＨ）b（ｂは１であり、ＴはＣ2−Ｃ8アルキレンまたはシクロヘキシレンである）である、請求項１から４までのいずれか１項に記載の組成物。
【請求項６】
成分（ｂ）のアルコキシアミンが、
１−シクロヘキシルオキシ−２，２，６，６−テトラメチル−４−オクタデシルアミノピペリジン；
ビス（１−オクチルオキシ−２，２，６，６−テトラメチルピペリジン−４−イル）セバケート；
２，４−ビス［（１−シクロヘキシルオキシ−２，２，６，６−テトラメチルピペリジン−４−イル）ブチルアミノ］−６−（２−ヒドロキシエチルアミノ−ｓ−トリアジン；
ビス（１−シクロヘキシルオキシ−２，２，６，６−テトラメチルピペリジン−４−イル）アジペート；
２，４−ビス［（１−シクロヘキシルオキシ−２，２，６，６−テトラメチルピペリジン−４−イル）ブチルアミノ］−６−クロロ−ｓ−トリアジン；
１−（２−ヒドロキシ−２−メチルプロポキシ）−４−ヒドロキシ−２，２，６，６−テトラメチルピペリジン；
１−（２−ヒドロキシ−２−メチルプロポキシ）−４−オキソ−２，２，６，６−テトラメチルピペリジン；
１−（２−ヒドロキシ−２−メチルプロポキシ）−４−オクタデカノイルオキシ−２，２，６，６−テトラメチルピペリジン；
ビス（１−（２−ヒドロキシ−２−メチルプロポキシ）−２，２，６，６−テトラメチルピペリジン−４−イル）セバケート；
ビス（１−（２−ヒドロキシ−２−メチルプロポキシ）−２，２，６，６−テトラメチルピペリジン−４−イル）アジペート；
２，４−ビス｛Ｎ−［１−（２−ヒドロキシ−２−メチルプロポキシ）−２，２，６，６−テトラメチルピペリジン−４−イル］−Ｎ−ブチル−アミノ｝−６−（２−ヒドロキシエチルアミノ）−ｓ−トリアジン；
２，４−ビス［（１−シクロヘキシルオキシ−２，２，６，６−テトラメチルピペリジン−４−イル）−ブチルアミノ］−６−クロロ−ｓ−トリアジンとＮ，Ｎ’−ビス（３−アミノプロピル）エチレンジアミン）との反応生成物；
２，４−ビス［（１−シクロヘキシルオキシ−２，２，６，６−テトラメチルピペリジン−４−イル）ブチルアミノ］−６−（２−ヒドロキシエチルアミノ−ｓ−トリアジン；
４，４’−ヘキサメチレン−ビス（アミノ−２，２，６，６−テトラメチルピペリジン）と、２−クロロ−４，６−ビス（ジブチルアミノ）−ｓ−トリアジンでエンドキャップされた２，４−ジクロロ−６−［（１−シクロヘキシルオキシ−２，２，６，６−テトラメチルピペリジン−４−イル）ブチルアミノ］−ｓ−トリアジンとの縮合生成物であるオリゴマー化合物；および
式
【化３】
2011506723.tif 000003
［式中、ｎは１〜１５である］の化合物
からなる群から選択される、請求項１から５までのいずれか１項に記載の組成物。
【請求項７】
前記次亜リン酸の金属塩が、式（Ｘ）
【化４】
2011506723.tif 000004
［式中
Ｍｅｔは、元素周期律表の第Ｉ、ＩＩ、ＩＩＩまたはＩＶ族から選択される金属であり；かつｎは、金属イオンの電荷に対応する１〜４の数である］を有する、請求項１から６までのいずれか１項に記載の組成物。
【請求項８】
Ｍｅｔn+が、Ｎａ+、Ｃａ2+、Ｍｇ2+、Ｚｎ2+、Ｔｉ4+またはＡｌ3+である、請求項１から７までのいずれか１項に記載の組成物。
【請求項９】
前記臭素化難燃剤が、
ポリ臭素化ジフェニルオキシド、
デカブロモジフェニルオキシド、
臭素化ヒドロカルビルホスフェートまたはホスホネート、
トリス［３−ブロモ−２，２−ビス（ブロモメチル）プロピル］ホスフェート、
トリス（トリブロモネオペンチル）ホスフェート、
トリス（２，３−ジブロモプロピル）ホスフェート、
テトラブロモフタル酸、
テトラブロモフェノールＡのビス（２，３−ジブロモプロピルエーテル）、
臭素化エポキシ樹脂、
エチレン−ビス（テトラブロモフタルイミド）、
オクタブロモジフェニルエーテル、
デカブロモジフェニルエーテル、
１，２−ビス（トリブロモフェノキシ）エタン、
ヘキサブロモサイコドデカン、
臭素化ジフェニルエタン、
テトラブロモ−ビスフェノールＡ、
テトラブロモビスフェノールＡ−ビス（ジブロモプロピル）エーテル、
エチレンビス−（ジブロモ−ノルボルナンジカルボキシミド）、
トリス−（２，３−ジブロモプロピル）−イソシアヌレート、
エチレン−ビス−テトラブロモフタルイミド、および
臭化水素メラミン
からなる群から選択される、請求項１から８までのいずれか１項に記載の組成物。
【請求項１０】
前記Ｎ−アルコキシアミンが、熱可塑性または弾性ポリマーの質量に対して０．０２〜１質量％の量で存在し、前記次亜リン酸の金属塩が、熱可塑性または弾性ポリマーの質量に対して０．１〜９質量％の量で存在し、前記有機臭素難燃剤が、熱可塑性または弾性ポリマーの質量に対して０．１〜９質量％の量で存在する、請求項１から９までのいずれか１項に記載の組成物。
【請求項１１】
ＵＶ吸収剤、立体障害アミン、フェノール系抗酸化剤、ホスファイトまたはホスホナイトおよびベンゾフラノンまたはインドリノンからなる群から選択される添加剤をさらに含む、請求項１から１０までのいずれか１項に記載の組成物。
【請求項１２】
請求項１から１１までのいずれか１項に記載の成分ｂ）、ｃ）およびｄ）をマスターバッチの全質量に対して１０質量％〜９０質量％の全量で含む、熱可塑性または弾性マスターバッチ濃縮物。
【請求項１３】
ａ）少なくとも１つの立体障害Ｎ−アルコキシアミン、
ｂ）少なくとも１つの次亜リン酸の金属塩、および
ｃ）少なくとも１つの臭素化難燃剤
を含む難燃性組成物。
【請求項１４】
熱可塑性または弾性ポリマーの難燃性を向上させるための方法であって、
ａ）少なくとも１つの立体障害Ｎ−アルコキシアミン、
ｂ）少なくとも１つの次亜リン酸の金属塩、および
ｃ）少なくとも１つの臭素化難燃剤
を含む組成物を熱可塑性または弾性ポリマーに混練することを含む方法。
【請求項１５】
熱可塑性または弾性ポリマーの難燃性を向上させるための、
ａ）少なくとも１つの立体障害Ｎ−アルコキシアミン、
ｂ）少なくとも１つの次亜リン酸の金属塩、および
ｃ）少なくとも１つの臭素化難燃剤
を含む組成物の使用。